(57)【特許請求の範囲】
【請求項１】
筒状であって、その内周面に放熱フィンを有する器具本体と、
前記器具本体に収容されるＬＥＤユニットと、
前記ＬＥＤユニットからの光を透過し、前記器具本体の開口面を覆うカバーとを備え、  前記カバーは、その基端側が前記器具本体の内側に延出しており、その外周で前記器具本体に保持され、
前記器具本体および前記カバーの各々は、互いに螺合するネジ溝を有し、
前記カバーは、ネジ込まれる前記カバーの端部が前記放熱フィンに当接した位置が、前記カバーのストロークエンドになるように、前記放熱フィンによって規制される照明器具。
【請求項２】
請求項１に記載の照明器具において、
前記放熱フィンは、複数の凹穴で形成されており、前記凹穴は、その一部が他より大きい穴形状で施工面取付用ネジ孔を有する照明器具。
【請求項３】
請求項２に記載の照明器具において、
前記器具本体は、前記施工面取付用ネジ孔を有する前記凹穴に前記ネジ溝が形成されない照明器具。
【発明の詳細な説明】
【技術分野】
【０００１】
本発明は、ＬＥＤ素子を光源として天井施工面に設置される照明器具に関する。
【背景技術】
【０００２】
従来より、ＬＥＤユニットに放熱フィン（ヒートシンク）を熱的に接続した照明器具が知られている（例えば、特許文献１参照）。
【先行技術文献】
【特許文献】
【０００３】
【特許文献１】実用新案登録第３１５８３３０号公報（図５、段落番号００２２）
【発明の概要】
【発明が解決しようとする課題】
【０００４】
前述した特許文献１に記載された照明器具は、ＬＥＤユニットの発した熱がＬＥＤユニットに熱的に接続されている放熱フィンを通じて放熱されることにより放熱性を向上できる。
しかし、前述した特許文献１に記載された照明器具において、放熱フィンは放熱を司るだけの機能を有しており、照明器具における他の構成部品の組付けを補助する機能を有さない。
【０００５】
本発明は、前述した課題を解決するためになされたものであり、その目的は、組付けを補助する機能を放熱フィンに有することにより小型化できる照明器具を提供することにある。
【課題を解決するための手段】
【０００６】
本発明に係る照明器具は、筒状であって、その内周面に放熱フィンを有する器具本体と、器具本体に収容されるＬＥＤユニットと、ＬＥＤユニットからの光を透過し、器具本体の開口面を覆うカバーとを備え、カバーは、その基端側が器具本体の内側に延出しており、その外周で器具本体に保持され、器具本体および前記カバーの各々は、互いに螺合するネジ溝を有し、カバーは、ネジ込まれるカバーの端部が放熱フィンに当接した位置が、カバーのストロークエンドになるように、放熱フィンによって規制される。
【０００７】
本発明に係る照明器具は、放熱フィンは、複数の凹穴で形成されており、凹穴は、その一部が他より大きい穴形状で施工面取付用ネジ孔を有する。
【０００８】
本発明に係る照明器具は、器具本体は、施工面取付用ネジ孔を有する凹穴にネジ溝が形成されない。
【発明の効果】
【０００９】
本発明の照明器具によれば、組付けを補助する機能を放熱フィンに有することにより小型化できるという効果を奏する。
【図面の簡単な説明】
【００１０】
【図１】本発明に係る一実施形態の照明器具の垂直断面図
【図２】図１の照明器具における器具本体の単体垂直断面図
【図３】図２の器具本体の底面図
【図４】図１の照明器具におけるカバーの単体垂直断面図
【発明を実施するための形態】
【００１１】
以下、本発明の一実施形態に係る照明器具について図面を参照して説明する。
図１に示すように、本発明の一実施形態である照明器具１０は、器具本体１１と、ＬＥＤユニット１２と、電源ユニット１３と、カバー１４と、絶縁カバー１５と、レンズ１６とを備えて不図示の天井面側に設置される。
【００１２】
器具本体１１は、例えば硬質の樹脂材料を用いて略円筒形状に形成されている。器具本体１１は、上端部に円環形状に形成された天板（図２参照）１７を有し、天板１７の円周方向に複数の放熱フィン１８を有する。器具本体１１は、天板１７の内周部に器具本体１１の上部と下部とを隔離するための隔板部１９を有し、下方の端部の開口部の内周側に雌ネジ部（ネジ溝）２０を有する。隔板部１９は、底部に底板２１を有し、上部の内側に絶縁カバー収容部２２を有するとともに、底板２１の中央部に絶縁カバー位置決め孔２３を有する。隔板部１９は、底板２１の下面の中央部にＬＥＤ基板取付部２４を有し、ＬＥＤ基板取付部２４の外周部にネジ孔２５が形成されたボス２６を有する。
【００１３】
ＬＥＤユニット１２は、円環形状に形成されたＬＥＤ基板２７の下面に複数のＬＥＤ素子２８が実装されている。ＬＥＤ基板２７は、不図示のプリント回路が電源ユニット１３に電気的に接続される。ＬＥＤユニット１２は、ＬＥＤ基板２７が隔板部１９の底板２１の下面のＬＥＤ基板取付部２４に取り付けられている。ＬＥＤユニット１２は、電源ユニット１３からの給電により単白色やＲＧＢの組み合わせによる白色の光を発光する。そして、ＬＥＤ基板取付部２４の外周部のボス２６にレンズ１６に有するフランジ２９が挿通され、フランジ２９を介してボス２６のネジ孔２５にネジ３０がネジ込まれることにより隔板部１９の下面にＬＥＤユニット１２を覆ってレンズ１６が取り付けられている。
【００１４】
電源ユニット１３は、電源ユニット基板３１上に、ネットワーク回路やＡＣ−ＤＣ変換回路や平滑回路等の複数の電子部品３２が実装されており、外部から与えられる商用交流電源をＬＥＤ素子２８用の直流電源に変換する。電源ユニット１３は、電源ユニット基板３１の外周部に位置決め孔３３を有する。
【００１５】
絶縁カバー１５は、例えば、絶縁性を有する樹脂材料を用いて有底の略円筒形状に形成されている。絶縁カバー１５は、底部の底板３４の外周部に側板３５を有し、底板３４の下面の中央部に器具本体１１の底板２１の絶縁カバー位置決め孔２３に位置決めされる凸部３６を有する。側板３５は、内周部に電源ユニット収納部３７を有し、高さ寸法が不均一に設定されている。絶縁カバー１５は、側板３５の一部に電源ユニット基板３１の抜け防止用の可撓係止片３８を有する。可撓係止片３８は、電源ユニット収納部３７に電源ユニット１３が挿入された際に、電源ユニット基板３１の上面に係止して電源ユニット基板３１を絶縁カバー１５に抜け止めて保持する。絶縁カバー１５は、可撓係止片３８の近傍の底板３４に、電源ユニット基板３１の位置決め孔３３が挿通されるテーパ状の位置決め突起３９が形成されている。
【００１６】
図２、図３に示すように、天板１７の円周方向に配置された複数の放熱フィン１８は、天板１７とにより複数の凹穴４０を形成している。複数の凹穴４０のうちの対向する２個の凹穴４１は、他の凹穴４２よりも大きく形成されており、大きい一対の凹穴４１の天板１７部分に施工面取付用ネジ孔４３が形成されている。そして、大きい凹穴４１部分には雌ネジ部２０が形成されていない。
【００１７】
図４に示すように、カバー１４は、例えば透明や乳白色の樹脂製であって、器具本体１１と同様の外径寸法を有する有底形状に形成されている。カバー１４は、周板４４を有し、この周板４４の外周部に雄ネジ部（ネジ溝）４５を有する。カバー１４は、雄ネジ部４５が器具本体１１の雌ネジ部２０にネジ込まれることにより器具本体１１に取り付けられる。このとき、カバー１４は、雄ネジ部４５が器具本体１１の雌ネジ部２０にネジ込まれていく際に、周板４４が放熱フィン１８に当接するまでネジ込まれる。即ち、放熱フィン１８がカバー１４のネジ込みストロークを設定しており、カバー１４の周板４４が放熱フィン１８に当接した位置がカバー１４のストロークエンドになるように規制している。そのため、カバー１４のストロークエンドを設定するための部材をカバー１４や器具本体１１に設ける必要がないのでカバー１４および器具本体１１の高さ寸法を低くできる。
【００１８】
このような照明器具１０は、天井施工面に設置されるに際し、まず、器具本体１１の大きい一対の凹穴４１の一対の施工面取付用ネジ孔４３を通じて不図示のネジが天井施工面にネジ込まれることにより器具本体１１が天井施工面に取り付けられる。このとき、ネジのネジ込みは、器具本体１１の大きい一対の凹穴４１において行われるために、不図示のネジ込み用の治具が放熱フィン１８等に干渉することなく、確実なネジ込みが行われる。
【００１９】
そして、このような照明器具１０は、カバー１４の周板４４が放熱フィン１８に当接するまで器具本体１１の雌ネジ部２０にカバー１４の雄ネジ部４５がネジ込まれることによりカバー１４が器具本体１１に取り付けられる。このとき、施工面取付用ネジ孔４３を通じてネジをネジ込む際に、器具本体１１において大きい一対の凹穴４１部分に雌ネジ部２０が形成されていないために、ネジ込み用の治具が雌ネジ部２０に接触して雌ネジ部２０を破損してしまった場合にカバー１４のネジ込みに支障を生ずるようなことにならない。
【００２０】
天井施工面に設置された照明器具１０は、電源ユニット１３からの給電によりＬＥＤユニット１２のＬＥＤ素子２８が発光され、ＬＥＤユニット１２からの光がレンズ１６およびカバー１４を透過して下方である床面側を照射する。このとき、ＬＥＤユニット１２が発した熱は器具本体１１に伝わり、その熱は器具本体１１において放熱フィン１８を介して放熱されることになる。
【００２１】
従って、この一実施形態の照明器具１０においては、カバー１４は、雄ネジ部４５が器具本体１１の雌ネジ部２０にネジ込まれていく際に、周板４４が放熱フィン１８に当接するまでのネジ込みストロークでネジ込まれる。
これにより、この一実施形態の照明器具１０においては、カバー１４のストロークエンドを設定するための部材をカバー１４や器具本体１１に設ける必要がなく、カバー１４の組付けを補助する機能を放熱フィン１８に有することにより小型化できる。
【００２２】
また、この一実施形態の照明器具１０においては、器具本体１１の大きい一対の凹穴４１に形成されている一対の施工面取付用ネジ孔４３を通じてネジが天井施工面にネジ込まれることにより器具本体１１が天井施工面に取り付けられる。
これにより、この一実施形態の照明器具１０においては、ネジのネジ込みが、器具本体１１の大きい一対の凹穴４１において行われるために、ネジ込み用の治具が放熱フィン１８に干渉することなく、確実なネジ込みを行える。
【００２３】
更に、この一実施形態の照明器具１０においては、カバー１４の周板４４が放熱フィン１８に当接するまで器具本体１１の雌ネジ部２０にカバー１４の雄ネジ部４５がネジ込まれる際に、ネジ込み用の治具は、雌ネジ部２０が形成されていない大きい一対の凹穴４１部分においてネジ込みが行われる。
これにより、この一実施形態の照明器具１０においては、ネジ込み用の治具が雌ネジ部２０に衝突して雌ネジ部２０を破損してしまった場合にカバー１４のネジ込みに支障を生ずるようなことがないので作業性を向上できる。
【００２４】
なお、一実施形態で使用した器具本体１１、ＬＥＤユニット１２、電源ユニット１３、カバー１４、レンズ１６等は例示したものに限定するものではなく適宜変更が可能である。
【符号の説明】
【００２５】
１０  照明器具
１１  器具本体
１２  ＬＥＤユニット
１４  カバー
１８  放熱フィン
２０  雌ネジ部（ネジ溝）
４０、４１、４２  凹穴
４３  施工面取付用ネジ孔
４５  雄ネジ部（ネジ溝）
【図１】
0005534936.tif 000002
【図２】
0005534936.tif 000003
【図３】
0005534936.tif 000004
【図４】
0005534936.tif 000005